(57)【要約】【課題】  隅部に溜まった埃を容易に掻き出さすことができ、また清掃対象面にこびりついたゴミを容易に掻き取ることができる清掃用物品を提供すること。【解決手段】  本発明の清掃用物品１０は、繊維層１１ａ〜１１ｄと、縦長の掻き出し用シート１２ａ，１２ｂとを備えている。繊維層１１ａ〜１１ｄと掻き出し用シート１２ａ，１２ｂとは、繊維層１１ａ〜１１ｄにおける繊維の配向方向が、掻き出し用シート１２ａ，１２ｂの長手方向と略直交するように積層され、且つ掻き出し用シート１１ａ〜１１ｄの長手方向にわたり接合されている。掻き出し用シート１２ａ，１２ｂとしてバルクソフトネスの最大荷重値が０．２〜４．０Ｎ／ｍｍのものを用いている。【選択図】    図１
2007029136.tif 000002
【特許請求の範囲】
【請求項１】
繊維層と縦長の掻き出し用シートとを備え、
繊維層と掻き出し用シートとは、繊維層における繊維の配向方向が、掻き出し用シートの長手方向と略直交するように積層され、且つ掻き出し用シートの長手方向にわたり接合されており、
掻き出し用シートとしてバルクソフトネスの最大荷重値が０.２〜４.０Ｎ／ｍｍのものを用いた清掃用物品。
【請求項２】
掻き出し用シートには、その幅方向に延びる短冊片が形成されるような切り込みが設けられていない請求項１記載の清掃用物品。
【請求項３】
繊維層を２層以上有し、隣り合う繊維層間に掻き出し用シートが配されている請求項１又は２記載の清掃用物品。
【請求項４】
繊維層を構成する繊維はその先端部が、掻き出し用シートにおける左右の側縁部を越えて存在している請求項１ないし３の何れかに記載の清掃用物品。
【請求項５】
掻き出し用シートにおける左右の側縁部が波形になっている請求項１ないし４の何れかに記載の清掃用物品。
【請求項６】
繊維層を構成する繊維が捲縮を有している請求項１ないし５の何れかに記載の清掃用物品。
【請求項７】
繊維層間に、清掃用物品の長手方向に延びる筒状の空間が形成されており、該空間内に清掃用物品に取り付けられる把手が挿入可能になっている請求項３記載の清掃用物品。
【発明の詳細な説明】
【技術分野】
【０００１】
本発明は、埃の掻き出し、捕集に好適に用いられる清掃用物品に関する。
【背景技術】
【０００２】
一方向に延びる繊維束を用いた清掃用物品が知られている。例えば、熱溶着性シートと該シートに接合して一方向に延びる多数の熱溶着性長繊維とからなる使い捨て拭き取り用具が提案されている（特許文献１参照）。この拭き取り用具においては、長繊維が、該長繊維と交叉する方向に延び、該長繊維の長手方向に間欠的に配設された複数の溶着線によって前記シートに接合している。
【０００３】
また、刷毛部が、軟質なシートで細長く形成された複数の短冊片と、繊維束とで形成されている清掃用物品が提案されている（特許文献２参照）。 短冊片と繊維束とは、複数の短冊片を有する少なくとも１枚のシートと、少なくとも１層の繊維束とが重ねられて部分的に接合されている。
【０００４】
これらの清掃用物品においては、繊維間に埃を捕捉して保持するという機構で清掃が行われる。太さにもよるが、繊維は通常剛性が低い（コシが弱い）ので、これらの清掃用物品を用いて隅部に溜まった埃を除去しようとしても、繊維が屈曲してしまい隅部まで行き届かず、満足すべき清掃効果が得られない。清掃対象面にこびりついたゴミを除去することも困難である。
【０００５】
【特許文献１】特開平９−１３５７９８号公報
【特許文献２】特開２００２−３６９７８３号公報
【発明の開示】
【発明が解決しようとする課題】
【０００６】
従って本発明の目的は、前述した従来技術が有する欠点を解消し得る清掃用物品を提供することにある。
【課題を解決するための手段】
【０００７】
本発明は、繊維層と縦長の掻き出し用シートとを備え、
繊維層と掻き出し用シートとは、繊維層における繊維の配向方向が、掻き出し用シートの長手方向と略直交するように積層され、且つ掻き出し用シートの長手方向にわたり接合されており、
掻き出し用シートとしてバルクソフトネスの最大荷重値が０.２〜４.０Ｎ／ｍｍのものを用いた清掃用物品を提供することにより前記目的を達成したものである。
【発明の効果】
【０００８】
本発明によれば、特定のバルクソフトネス値を有する掻き取り用シートの作用によって、隅部に溜まった埃が容易に掻き出され、また清掃対象面にこびりついたゴミが容易に掻き取られ、繊維束からなる繊維層に絡み取られる。
【発明を実施するための最良の形態】
【０００９】
以下本発明を、その好ましい実施形態に基づき図面を参照しながら説明する。図１には、本発明の清掃用物品の一実施形態が示されている。図２は、図１に示す清掃用物品の分解斜視図である。図１及び図２に示す清掃用物品１０は全体として縦長で扁平な形状を有するものである。清掃用物品１０は４層の繊維層１１ａ，１１ｂ，１１ｃ，１１ｄを備えている。また清掃用物品１０は２枚の掻き出し用シート１２，ａ，１２ｂを備えている。
【００１０】
繊維層は、所定の厚みをもって繊維束が配向されてなるものである。繊維束は、清掃用物品１０の幅方向に配向している。
【００１１】
隣り合う繊維層である繊維層１１ａと繊維層１１ｂとの間には、縦長矩形の掻き出し用シート１２ａが配されている。同様に繊維層１１ｃと繊維層１１ｄとの間には、縦長矩形の掻き出し用シート１２ｂが配されている。２枚の掻き出し用シート１２ａ，１２ｂは同形をしている。また２枚の掻き出し用シート１２ａ，１２ｂはそれらの長手方向が、清掃用物品１０の長手方向と一致している。更に、２枚の掻き出し用シート１２ａ，１２ｂは、それらの幅が、繊維層１１ａ〜１１ｄを構成する繊維の長さよりも短くなっている。
【００１２】
繊維層１１ｂと繊維層１１ｃとの間には、何れも矩形である把手装着用シート１３ａ，１３ｂが配されている。把手装着用シート１３ａ，１３ｂは、それらの長さが掻き出し用シート１２ａ，１２ｂの長さとほぼ同じになっている。しかし、把手装着用シート１３ａ，１３ｂの幅は、掻き出し用シート１２ａ，１２ｂの幅よりも狭くなっている。
【００１３】
各繊維層１１ａ〜１１ｄと、各掻き出し用シート１２ａ，１２ｂと、各把手装着用シート１３ａ，１３ｂとは、各繊維層１１ａ〜１１ｄにおける繊維の配向方向が、掻き出し用シート１２ａ，１２ｂ及び把手装着用シート１３ａ，１３ｂの長手方向と略直交するように積層されている。更に繊維層、掻き出し用シート及び把手装着用シートは、それらの幅方向中央部を一致させて、掻き出し用シート及び把手装着用シートの長手方向にわたり接合されている。接合は、所定幅をもった直線状の接合ライン１４に沿って行われる。接合ライン１４は、繊維層、掻き出し用シート及び把手装着用シートの幅方向中央部に形成される。接合ラインは、例えば熱融着、接着剤による接着などの公知の接合手段によって形成される。繊維層、掻き出し用シート及び把手装着用シートの何れもが熱融着性の材料から構成されている場合には、熱融着によって接合ライン１４を形成することが簡便である。
【００１４】
前記の接合ライン１４による接合の他に、把手装着用シート１３ａ，１３ｂにおいては、それらの左右両側部も接合される。つまり把手装着用シート１３ａ，１３ｂにおいては、それらの幅方向中央部が、長手方向に沿って直線状に接合されると共に、それらの左右両側部が、長手方向に沿って直線状に接合される。その結果、これら２枚の把手装着用シート１３ａ，１３ｂによって、清掃用物品１０の長手方向に延びる筒状の空間１５が並列して形成される。筒状の空間１５は、以下に述べる把手２０が挿入可能なものである。
【００１５】
把手２０は把持部２１と把持部の先端から二股に分岐した挿入部２２，２２とを備えている。把持部２１と挿入部２２とは所定の角度をなしている。挿入部２２は細長い扁平な板状の形状をしている。挿入部２２がこのような形状となっていることで、挿入部２２に可撓性が付与される。このことは、曲面や凹凸を有する清掃対象面を清掃した場合に、清掃用物品１０が清掃対象面に追従し易くなり、埃の除去効率が高まる観点から有利である。各挿入部２２は、２枚の把手装着用シート１３ａ，１３ｂによって形成される空間１５内にそれぞれ挿入される。挿入部２２，２２間には、挿入部２２よりも短い長さを有するフック部２３が設けられている。フック部２３はその先端が所定の角度をなして上方を向いている。フック部２３は、挿入部２２が空間１５内に挿入された状態で清掃用物品１０と係合することで、挿入部２２が清掃用物品１０から抜けにくくする働きを有している。
【００１６】
本実施形態の清掃用物品１０においては、掻き出し用シート１２ａ，１２ｂとして、バルクソフトネスの最大荷重値が０.２〜４.０Ｎ／ｍｍ、好ましくは０.３〜３.０Ｎ／ｍｍのものを使用することを特徴としている。バルクソフトネスの最大荷重値は、掻き出し用シート１２ａ，１２ｂの剛性の高さの尺度となるものである。バルクソフトネスの最大荷重値が大きいほど、掻き出し用シート１２ａ，１２ｂはその剛性が高いことを意味する。本実施形態の清掃用物品１０においては、掻き出し用シート１２ａ，１２ｂのバルクソフトネスの最大荷重値を０.２Ｎ／ｍｍ以上とすることで、掻き出し用シート１２ａ，１２ｂに十分な剛性が付与され、隅部に溜まった埃を容易に掻き出すことができ、また清掃対象面にこびりついたゴミを容易に掻き取ることができる。一方、バルクソフトネスの最大荷重値を４.０Ｎ／ｍｍ以下とすることで、清掃対象面に引っ掻き傷などの損傷が発生することが効果的に防止される。
【００１７】
バルクソフトネスの最大荷重値は次の方法で測定される。掻き出し用シート１２ａ，１２ｂをその長手方向に１５０ｍｍ、幅方向に３０ｍｍの寸法で矩形に切り出す。切り出されたシートを、その長辺が周方向となるように丸めて、高さ３０ｍｍ、円周１４０ｍｍの円筒を形成する。その際、ステープラーを用いて円筒形状を保持する。テンシロン引張試験器に円筒を設置し、１０ｍｍ／ｍｉｎの圧縮モードで円筒を圧縮する。圧縮の荷重を測定し、その最大値をもってバルクソフトネスの最大荷重値とする。試験は４個の試料について行い、測定結果の平均値を算出する。
【００１８】
本実施形態の清掃用物品１０における埃やゴミの掻き出し・保持機構は次の通りである。図１に示すように、清掃作業前の状態の清掃用物品１０においては、繊維層１１ａ〜１１ｄを構成する繊維はその先端部が、掻き出し用シート１２ａ，１２ｂにおける左右の側縁部を越えて存在している。従って、掻き出し用シート１２ａ，１２ｂにおける左右の側縁部は、外部に露出していない。つまり、この状態では、清掃用物品１０は、繊維層１１ａ〜１１ｄを構成する繊維のみが外部に露出している。このような状態は、テーブルの上やテレビの画面、タンス、冷蔵庫といった比較的広い面積の部分に存する埃を、繊維間に絡めて除去するのに好適な状態である。また、掻き出し用シート１２ａ，１２ｂにおける左右の側縁部は、外部に露出していないので、清掃対象面に傷がつくおそれもない。
【００１９】
一方、隅部や壁と家具の間の隙間などを清掃する場合には、清掃用物品１０を押し付ける動作を伴うので、清掃用物品１０に或る程度の力が加わる。繊維層１１ａ〜１１ｄを構成する繊維は一般にコシが弱いので、加えられた力によって屈曲しやすい。これに対して、掻き出し用シート１２ａ，１２ｂは前述したバルクソフトネス値を有しているので、加えられた力によっても屈曲しづらい。その結果、加えられた力によって繊維層１１ａ〜１１ｄを構成する繊維が相対的に後退して、掻き出し用シート１２ａ，１２ｂにおける左右の側縁部が清掃用物品１０の外部に露出する。露出した側縁部はそのバルクソフトネス値が高いので、隅部や隙間に存する埃を容易に掻き出す。掻き出された埃は繊維によって絡め取られて除去される。清掃対象面にこびりついたゴミの掻き取り、除去も同様の機構によって行われる。
【００２０】
以上の説明から明らかなように、隅部に溜まった埃の掻き出しや、清掃対象面にこびりついたゴミの掻き取りに大きく寄与するのは、掻き出し用シート１２ａ，１２ｂにおける左右の側縁部の部位である。従って、側縁部の部位の剛性を、掻き出し用シート１２ａ，１２ｂにおける他の部位よりも高めることが一層効果的である。例えば、（イ）側縁部を折り返して二重構造にするか、（ロ）側縁部に、掻き出し用シート１２ａ，１２ｂの構成材料と同種又は異種の材料を貼り合わせて、側縁部の部位の剛性を高めることができる。これらの場合には、先に述べたバルクソフトネスの最大荷重値は、側縁部の剛性を高めた部位を対象として測定される。
【００２１】
隅部に溜まった埃の掻き出しや、清掃対象面にこびりついたゴミの掻き取り効果を一層高める観点から、掻き出し用シート１２ａ，１２ｂは、１枚のシート形状を保っていることが好ましい。逆に、掻き出し用シート１２ａ，１２ｂに、先に述べた特許文献２に記載の短冊片が形成されていることは、埃の掻き出しや、ゴミの掻き取り効果の点からはマイナスに作用する。換言すれば、掻き出し用シート１２ａ，１２ｂには、その幅方向に延びる短冊片が形成されるような深い切り込みが設けられていないことが好ましい。
【００２２】
隅部に溜まった埃の掻き出しや、清掃対象面にこびりついたゴミの掻き取り効果を更に一層高める観点から、図２に示すように、掻き出し用シート１２ａ，１２ｂにおける左右の側縁部は波形になっていることが好ましい。図２には波形の一例として、側縁部が鋸歯状になっている状態が示されている。しかし、波形の形状はこれに限られず、他の形状、例えば正弦派の形状、台形の繰り返しの形状、或いは種々の形状を組み合わせた形状であってもよい。
【００２３】
前述の通り、掻き出し用シート１２ａ，１２ｂは、或る程度の剛性を有するものである。従って、その左右両側部だけでなく、図１及び図２に示すように、その全体が清掃用物品１０の表面に露出しないことが好ましい。即ち、掻き出し用シートは隣り合う繊維層間に配置されており、清掃用物品１０の表面に位置していないことが好ましい。
【００２４】
本実施形態の清掃用物品１０を構成する各部材の詳細について説明すると、各繊維層１１ａ〜１１ｄを構成する繊維としては、繊維長が３０〜１５０ｍｍ、特に５０〜１２０ｍｍのものを用いることが、埃の絡み取り性の点から好ましい。本実施形態においては、このような繊維長を有する繊維を繊維束（トウ）の状態で用いる。その際には公知の開繊装置を用いて繊維を十分に開繊しておくことが好ましい。
【００２５】
繊維として特に捲縮繊維を用いると、埃の絡み取り性が一層向上するので好ましい。繊維の捲縮数は１ｃｍ当たり１〜１０個、特に３〜８個であることが好ましい。
【００２６】
繊維の太さは本発明において特に臨界的ではないが、埃の絡み取り性や、清掃対象面への傷付き防止性の観点から、１〜３０ｄｔｅｘ、特に２〜１０ｄｔｅｘであることが好ましい。
【００２７】
繊維の構成材料も本発明においては特に臨界的ではない。例えば、通常用いられている熱可塑性樹脂を原料とする繊維を用いることができる。各繊維層１１ａ〜１１ｄを、掻き出し用シート１２ａ，１２ｂ及び把手装着用シート１３ａ，１３ｂと熱融着によって接合する場合には、繊維は、芯鞘構造を有する熱融着性複合繊維であることが好ましい。
【００２８】
各繊維層１１ａ〜１１ｄの坪量はそれぞれ５０〜４００ｇ／ｍ2、特に１００〜３００ｇ／ｍ2であることが好ましい。この場合、各繊維層１１ａ〜１１ｄの坪量は同じでもよく、或いは異なっていてもよい。
【００２９】
掻き出し用シート１２ａ，１２ｂとしては、先に述べたバルクソフトネスの最大荷重値を有するものであればその種類に特に制限はなく、例えば各種不織布やフィルム、或いはそれらの複合材を用いることができる。不織布を用いる場合には、例えばエアスルー不織布、スパンボンド不織布、エアレイド不織布などが好適な例として挙げられる。これらの不織布の坪量は、バルクソフトネスの最大荷重値との関係で、２０〜１５０ｇ／ｍ2、特に３０〜１００ｇ／ｍ2であることが好ましい。同様の理由から、フィルムを用いる場合、その坪量は１０〜１００ｇ／ｍ2、特に２０〜８０ｇ／ｍ2であることが好ましい。２枚の掻き出し用シート１２ａ，１２ｂは、その種類及び／又は坪量は同じでもよく、或いは異なっていてもよい。
【００３０】
次に本発明の別の実施形態について図３を参照しながら説明する。図３に示す清掃用物品１０は、基本構造は図１及び図２に示すものと同じである。本実施形態の清掃用物品１０では、接合ライン１４の太さや接合の程度を図１及び図２に示すものと異ならせている。それによって、本実施形態の清掃用物品１０は、その全体の形状が円柱状になっており、繊維の配向が一方向になることがなく、自由度が非常に大きいものとなる。これ以外の構成は図１及び図２に示すものと同じである。本実施形態の清掃用物品１０によっても、図１及び図２に示す実施形態と同様の効果が奏される。
【００３１】
以上、本発明をその好ましい実施形態に基づき説明したが、本発明は前記実施形態に制限されない。例えば繊維層や掻き出し用シートの数は前記実施形態のものに制限されない。また、前記実施形態の清掃用物品１０は把手２０が取り付けられて使用されることが好ましいが、把手２０を取り付けずにそのまま手で把持して清掃操作を行っても良い。
【００３２】
本発明の清掃用物品は、通常乾式の状態で、使い捨ての物品として、例えばテーブルや机、タンスなどの家具、テレビやビデオデッキ、冷蔵庫などの家電製品等の清掃に用いられる。また、部屋の隅部や、壁と家具との間の狭い隙間の清掃にも用いられる。
【実施例】
【００３３】
以下、実施例により本発明を更に詳細に説明する。しかしながら本発明の範囲はかかる実施例に制限されない。
【００３４】
〔実施例１〕
図１及び図２に示す清掃用物品を製造した。各繊維層１１ａ〜１１ｄとして、繊維長９０ｍｍの芯鞘型熱融着性複合繊維を用いた。この複合繊維は、芯がポリエチレンテレフタレート、鞘がポリエチレンから構成されている太さ２.２ｄｔｅｘのものであった。各繊維層１１ａ〜１１ｄの坪量は何れも２００ｇ／ｍ2であった。各繊維層１１ａ〜１１ｄは、前記の複合繊維の繊維束（トウ）を開繊装置で開繊したものであった。
【００３５】
掻き出し用シート１２ａ，１２ｂとしては、坪量４１ｇ／ｍ2のエアスルー不織布を用いた。構成繊維は、芯がポリエチレンテレフタレート、鞘がポリエチレンから構成されている芯鞘型熱融着性複合繊維（２.２ｄｔｅｘ×５１ｍｍ）であった。シートの左右両側部は鋸歯状の波形である。シートの寸法は７０ｍｍ×１３０ｍｍであった。このシートのバルクソフトネスの最大荷重値は表１に示す通りである。
【００３６】
把手装着用シート１３ａ，１３ｂとしては、掻き出し用シート１２ａ，１２ｂと同じ不織布を用いた。このシートの寸法は６０ｍｍ×１５０ｍｍであった。
【００３７】
これらの各部材を図２に示す分解斜視図のように積層し、幅方向の中央部において接合ライン１４によって熱融着した。これによって目的とする清掃用物品を得た。
【００３８】
〔比較例１〕
掻き出し用シート１２ａ，１２ｂとして坪量１５ｇ／ｍ2のスパンボンド不織布を用いた以外は実施例１と同様にして清掃用物品を得た。
【００３９】
〔比較例２〕
実施例１における掻き出し用シート１２ａ，１２ｂに、その左右両側部から幅方向に延びる深さ３０ｍｍの切り込みを１０ｍｍ間隔で設け、該シートの幅方向に延びる多数の短冊片を形成した。これ以外は実施例１と同様にして清掃用物品を得た。
【００４０】
〔評価〕
実施例及び比較例で得られた清掃用物品１０に、図１及び図２に示す把手２０を取り付けて清掃操作を行い、清掃性を評価した。清掃性は、埃の掻き出し性及び操作性の観点からの評価とした。
【００４１】
〔埃の掻き出し性〕
キーボード(HITACHI  PC-KB5310)の上にコットンリンタ０.１ｇを均一に撒き、キーボードの溝に掻き出しシートを合わせ、長手方向に10回往復清掃をする。溝に追従してコットンリンタ（ほこり）が掻きだせたかを確認するとともに、キーボードに残ったコットンリンタの重量を測定した。残った量が、０.０７ｇ以上０．１ｇ以下の場合は埃を掻き出せないと判定し、×とした。残った量が、０.０３ｇ以上０．０７ｇ未満の場合は埃がやや残ると判定し、△とした。残った量が、０.０ｇ以上０．０３ｇ未満の場合は埃がきれいに掻き出せる判定し、○とした。
【００４２】
〔操作性〕
キーボード(HITACHI  PC-KB5310)の溝に掻きだしシートが入れ易いかを確認するとともに、長手方向に10回往復させ、シートが溝から外れないか確認した。１０往復させても溝からシートが外れない場合は操作しやすいと判定し、○とした。１０往復を終了する前に、溝からシートが外れた場合はやや操作しやすいと判定し、△とした。溝にシートを入れるのに、手を添える必要があった場合には操作しにくいと判定し、×とした。
【００４３】
【表１】
2007029136.tif 000003
【００４４】
表１に示す結果から明らかなように、実施例１の清掃用物品は、埃の掻き出し性に優れ、しかも操作性も高いことが判る。これに対して比較例１及び２の清掃用物品は、埃の掻き出し性に劣り、また操作性も高くないことが判る。
【図面の簡単な説明】
【００４５】
【図１】本発明の清掃用物品の一実施形態を示す斜視図である。
【図２】図１に示す清掃用物品の分解斜視図である。
【図３】本発明の清掃用物品の他の実施形態を示す斜視図である。
【符号の説明】
【００４６】
１０  清掃用物品
１１ａ，１１ｂ，１１ｃ，１１ｄ  繊維層
１２ａ，１２ｂ  掻き出し用シート
１３ａ，１３ｂ  把手装着用シート
１４  接合ライン
１５  空間
【図１】
2007029136.tif 000004
【図２】
2007029136.tif 000005
【図３】
2007029136.tif 000006